(57)【要約】【課題】翻訳費用を正確に見積る。【解決手段】翻訳業務見積装置１０は、人による翻訳結果である原文及びその翻訳文を文例として記憶する文例データベース１１と、翻訳しようとする原文を入力する原文入力手段１２と、原文入力手段１２から入力した原文を構成する各文章について最も類似する類似文例を文例データベース１１で検索する類似文例検索手段１３と、類似文例検索手段１３で検索された各類似文例とこれに対応する原文の各文章とについて一致率を計算する一致率計算手段１４と、一致率計算手段１４で計算された一致率が低いほど難易度が高いと判定する難易度判定手段１５と、難易度判定手段１５で判定された難易度に基づき見積金額を決定する見積金額決定手段１６とを備えている。【選択図】        図１
2004185171.tif 000002
【特許請求の範囲】
【請求項１】
人による翻訳結果である原文及びその翻訳文を文例として記憶する文例データベースと、
翻訳しようとする原文を入力する原文入力手段と、
この原文入力手段から入力した原文を構成する各文章について最も類似する類似文例を前記文例データベースで検索する類似文例検索手段と、
この類似文例検索手段で検索された各類似文例とこれに対応する前記各文章とについて一致率を計算する一致率計算手段と、
この一致率計算手段で計算された一致率が低いほど難易度が高いと判定する難易度判定手段と、
この難易度判定手段で判定された難易度に基づき見積金額を決定する見積金額決定手段と、
を備えた翻訳業務見積装置。
【請求項２】
前記一致率計算手段で計算された一致率が一定値以下となる前記文章について機械翻訳によって翻訳文を得る機械翻訳手段と、
この機械翻訳手段で得られた翻訳文及び前記類似文例検索手段で検索された類似文例の翻訳文を前記各文章に対応付けたワークシートを作成するワークシート作成手段と、
を更に備えた請求項１記載の翻訳業務見積装置。
【請求項３】
人による翻訳結果である原文及びその翻訳文を文例として記憶する文例データベースを用意し、コンピュータを使って、
翻訳しようとする原文を入力し、
入力した前記原文を構成する各文章について最も類似する類似文例を前記文例データベースで検索し、
検索された前記各類似文例とこれに対応する前記各文章とについて一致率を計算し、
計算された前記一致率が低いほど難易度が高いと判定し、
判定された前記難易度に基づき見積金額を決定する、
翻訳業務見積方法。
【請求項４】
更に、計算された前記一致率が一定値以下となる前記文章について機械翻訳によって翻訳文を得、
この機械翻訳によって得られた翻訳文及び検索された前記類似文例の翻訳文を前記各文章に対応付けたワークシートを作成する、
請求項３記載の翻訳業務見積方法。
【請求項５】
人による翻訳結果である原文及びその翻訳文を文例として記憶する文例データベースと組み合わせて用いられるコンピュータを、
翻訳しようとする原文を入力する原文入力手段、
この原文入力手段から入力した原文を構成する各文章について最も類似する類似文例を前記文例データベースで検索する類似文例検索手段、
この類似文例検索手段で検索された各類似文例とこれに対応する前記各文章とについて一致率を計算する一致率計算手段、
この一致率計算手段で計算された一致率が低いほど難易度が高いと判定する難易度判定手段、
及び、この難易度判定手段で判定された難易度に基づき見積金額を決定する見積金額決定手段、
として機能させるための翻訳業務見積プログラム。
【請求項６】
前記コンピュータを、
前記一致率計算手段で計算された一致率が一定値以下となる前記文章について機械翻訳によって翻訳文を得る機械翻訳手段、
及び、この機械翻訳手段で得られた翻訳文及び前記類似文例検索手段で検索された類似文例の翻訳文を前記各文章に対応付けたワークシートを作成するワークシート作成手段、
として更に機能させるための請求項５記載の翻訳業務見積プログラム。
【請求項７】
請求項１又は２記載の翻訳業務見積装置と、翻訳を依頼する発注側端末装置と、翻訳を引き受ける請負側端末装置とが通信ネットワークを介して接続された、翻訳業務見積システム。
【発明の詳細な説明】
【０００１】
【発明の属する技術分野】
本発明は、翻訳請負者と翻訳発注側と間で翻訳業務を受発注するときの見積りに関し、詳しくは翻訳に要する費用を正確に見積るための翻訳業務見積装置等に関する。
【０００２】
【従来の技術】
図８は、下記特許文献１に開示された翻訳業務支援装置を示すブロック図である。以下、この図面に基づき説明する。
【０００３】
この翻訳業務支援装置は、翻訳会社における翻訳業務の能率を向上させることを目的に構成されている。まず、顧客のコンピュータ１０４からの見積要求により、翻訳会社のコンピュータ１０２が見積を演算して演算結果を顧客のコンピュータ１０４に送信する。翻訳会社のコンピュータ１０２は、登録翻訳者に関する各種の情報のうちの１以上の情報を指定して検索指示が入力されることにより、登録翻訳者データベース１２２を検索して入力内容に合致する情報を有する登録翻訳者を選択し、選択した登録翻訳者をモニタ画面に一覧表示させる。翻訳会社のコンピュータ１０２は、登録翻訳者のコンピュータ１０５からの用語を指定した検索指示を受信することにより、用語集データベース１２３を検索して指定された用語に関する情報を選択し、選択した情報を登録翻訳者のコンピュータ１０５に送信する。
【特許文献１】
特開平２００１−３０６８８５号公報（図１等）
【０００４】
【発明が解決しようとする課題】
しかしながら、従来の翻訳費用の見積りでは、次のような問題があった。
【０００５】
（１）翻訳者のランク単金、文書枚数、文字数等によって翻訳作業に要する工数及び金額を見積もるため、文章や単語の難易度に応じた実際にかかる工数とはかけ離れたものになっていた。つまり、見積りの正確性に欠けていた。そのため、翻訳者の作業時間が見積をオーバーすることにより作業水準の低下を招いたり、発注側にとって翻訳結果が期待に沿わなかったり等、双方にとっての不利益が生じていた。
【０００６】
（２）翻訳見積作業と実際の翻訳作業とが乖離していることにより、実際の翻訳作業が全て翻訳者に任されるため、例えば翻訳結果中に原文が反映されていない部分（いわゆる「訳抜け」）が発生することがあった。この場合、翻訳結果を発注側が確認するまで発見できないことや、翻訳前に発注側が翻訳内容についてその意向を伝える機会がないことにより、追加での作業が多くなって全体でのタイムロスにつながっていた。
【０００７】
【発明の目的】
そこで、本発明の目的は、翻訳費用を正確に見積ることができるとともに、訳抜けも防止できる翻訳業務見積装置等を提供することにある。
【０００８】
【課題を解決するための手段】
本発明に係る翻訳業務見積装置は、人による翻訳結果である原文及びその翻訳文を文例として記憶する文例データベースと、翻訳しようとする原文を入力する原文入力手段と、原文入力手段から入力した原文を構成する各文章について最も類似する類似文例を文例データベースで検索する類似文例検索手段と、類似文例検索手段で検索された各類似文例とこれに対応する原文の各文章とについて一致率を計算する一致率計算手段と、一致率計算手段で計算された一致率が低いほど難易度が高いと判定する難易度判定手段と、難易度判定手段で判定された難易度に基づき見積金額を決定する見積金額決定手段と、を備えたものである。
【０００９】
原文が原文入力手段から入力されると、原文を構成する各文章について最も類似する類似文例が類似文例検索手段によって文例データベース中で検索される。検索された各類似文例とこれに対応する原文の各文章とは、一致率計算手段によって一致率が計算される。この一致率が低い文章ほど、今までにない稀な文章であるので、翻訳が難しくなる。そのため、一致率が低いものほど、難易度判定手段によって難易度が高いと判定される。最後に、判定された難易度に基づき、見積金額決定手段によって見積金額が決定される。
【００１０】
従来は、原文の文書枚数や文字数に基づき一律に見積金額を決定していたため、簡単な翻訳にもかかわらず高い費用を見積ったり、難しい翻訳であるのに安い費用を見積ったりしていた。これに対し、本発明では、翻訳の難易度を判定できるので、実際に要する工数に即した正確な見積りが可能となる。
【００１１】
また、一致率計算手段で計算された一致率が一定値以下となる文章について機械翻訳によって翻訳文を得る機械翻訳手段と、機械翻訳手段で得られた翻訳文及び類似文例検索手段で検索された類似文例の翻訳文を各文章に対応付けたワークシートを作成するワークシート作成手段とを更に備えた、としてもよい。この場合、ワークシートにおいて、一致率が一定値を越える文章については類似文例の翻訳文が当て嵌められ、一致率が一定値以下の文章については機械翻訳による翻訳文が当て嵌められる。つまり、ワークシートには原文の文章に何らかの翻訳文が併記されているので、翻訳時に訳抜けが発生するおそれがない。
【００１２】
本発明に係る翻訳業務見積方法は、人による翻訳結果である原文及びその翻訳文を文例として記憶する文例データベースを用意し、コンピュータを使って次のような手順で処理する。まず翻訳しようとする原文を入力し、入力した原文を構成する各文章について最も類似する類似文例を文例データベースで検索し、検索された各類似文例とこれに対応する原文の各文章とについて一致率を計算し、計算された一致率が低いほど難易度が高いと判定し、判定された難易度に基づき見積金額を決定する。このとき、更に、計算された一致率が一定値以下となる文章について機械翻訳によって翻訳文を得、機械翻訳によって得られた翻訳文及び検索された類似文例の翻訳文を各文章に対応付けたワークシートを作成する、としてもよい。
【００１３】
本発明に係る翻訳業務見積プログラムは、人による翻訳結果である原文及びその翻訳文を文例として記憶する文例データベースと組み合わせて用いられるコンピュータを、次の各手段として機能させるためのものである。翻訳しようとする原文を入力する原文入力手段。原文入力手段から入力した原文を構成する各文章について、最も類似する類似文例を文例データベースで検索する類似文例検索手段。類似文例検索手段で検索された各類似文例とこれに対応する原文の各文章とについて、一致率を計算する一致率計算手段。一致率計算手段で計算された一致率が低いほど難易度が高いと判定する難易度判定手段。難易度判定手段で判定された難易度に基づき見積金額を決定する見積金額決定手段。また、当該コンピュータを、一致率計算手段で計算された一致率が一定値以下となる文章について機械翻訳によって翻訳文を得る機械翻訳手段、及び、機械翻訳手段で得られた翻訳文及び類似文例検索手段で検索された類似文例の翻訳文を各文章に対応付けたワークシートを作成するワークシート作成手段、として更に機能させるようにしてもよい。
【００１４】
本発明に係る翻訳業務見積システムは、本発明に係る翻訳業務見積装置と、翻訳を依頼する発注側端末装置と、翻訳を引き受ける請負側端末装置とが、通信ネットワークを介して接続されたものである。本発明に係る翻訳業務見積装置によって正確な翻訳費用が見積られ、その情報は通信ネットワークを介してリアルタイムに発注側端末装置及び請負側端末装置へ送信される。
【００１５】
換言すると、本発明は次のような特徴を有する。（１）翻訳システム及び文例データベースを利用して実際の文章の翻訳難易度を考慮した上で、翻訳見積を作業見積金額として算出する。（２）翻訳見積依頼と同時に文例データベースを伴った実際の機械での翻訳を行い、発注側と請負側とにリアルタイムで見積根拠を明示できる。
【００１６】
【発明の実施の形態】
以下、本発明に係る翻訳業務見積装置及び翻訳業務見積システムの実施形態について、図面を参照しつつ説明する。ただし、本発明に係る翻訳業務見積方法及び翻訳業務見積プログラムについては、以下の実施形態に用いられているので、以下の実施形態を説明する中で同時に説明する。
【００１７】
図１は、本発明に係る翻訳業務見積装置の一実施形態を示す機能ブロック図である。以下、この図面に基づき説明する。
【００１８】
本実施形態の翻訳業務見積装置１０は、人による翻訳結果である原文及びその翻訳文を文例として記憶する文例データベース１１と、翻訳しようとする原文を入力する原文入力手段１２と、原文入力手段１２から入力した原文を構成する各文章について最も類似する類似文例を文例データベース１１で検索する類似文例検索手段１３と、類似文例検索手段１３で検索された各類似文例とこれに対応する原文の各文章とについて一致率を計算する一致率計算手段１４と、一致率計算手段１４で計算された一致率が低いほど難易度が高いと判定する難易度判定手段１５と、難易度判定手段１５で判定された難易度に基づき見積金額を決定する見積金額決定手段１６とを備えたものである。
【００１９】
更に、翻訳業務見積装置１０は、一致率計算手段１４で計算された一致率が一定値以下となる文章について機械翻訳によって翻訳文を得る機械翻訳手段１７と、機械翻訳手段１７で得られた翻訳文及び類似文例検索手段１３で検索された類似文例の翻訳文を各文章に対応付けたワークシートを作成するワークシート作成手段１８とを備えている。
【００２０】
翻訳業務見積装置１０の各手段は、例えばパーソナルコンピュータ及びそのプログラムによって実現されている。文例データベース１１は、例えば磁気ディスク装置によって実現されている。
【００２１】
なお、図１は構成の一例に過ぎないので、本発明の要旨を変更しない範囲で、ブロックの位置を入れ換えてもよく、ブロックを変更、追加又は削除してもよい。例えば、機械翻訳手段１７及びワークシート作成手段１８については、省略することもできる。
【００２２】
図２は、図１の翻訳業務見積装置における動作の一例を示すフローチャートである。以下、図１及び図２に基づき説明する。
【００２３】
まず、入力手段１２は、記憶媒体や他のコンピュータなど（図示せず）から、原文及びこれに付随する情報を入力する（ステップＳ１）。続いて、類似文例検索手段１３は、原文を各文章に分割し（ステップＳ２）、各文章について最も類似する類似文例を文例データベース１１中で検索する（ステップＳ３）。続いて、一致率計算手段１４は、検索された各類似文例とこれに対応する各文章とを比較することにより、その一致率を計算する（ステップＳ４）。
【００２４】
ここで、ステップＳ４で計算された一致率が例えば７０％以下となる文章（ステップＳ３で類似例文が見つからなかった文章を含む。）については、機械翻訳手段１７が機械翻訳によって翻訳文を得る（ステップＳ６）。
【００２５】
ステップＳ４で計算された一致率が低い文章ほど、今までにない稀な文章であるので、翻訳が難しくなる。そこで、難易度判定手段１５は、一致率が低いものほど難易度が高いと判定する（ステップＳ７）。また、ワークシート作成手段１８は、各文章に各種の情報が書き込まれたワークシートを作成する（ステップＳ８）。最後に、見積金額決定手段１６は、判定された難易度に基づき見積金額を決定する（ステップＳ９）。
【００２６】
従来は、原文の文書枚数や文字数に基づき一律に見積金額を決定していたため、簡単な翻訳にもかかわらず高い費用を見積ったり、難しい翻訳であるのに安い費用を見積ったりしていた。これに対し、翻訳業務見積装置１０では、翻訳の難易度を判定できるので、実際に要する工数に即した正確な見積りが可能となる。また、ステップＳ８で作成されるワークシートにおいて、一致率が一定値を越える文章については類似文例の翻訳文が当て嵌められ、一致率が一定値以下の文章については機械翻訳による翻訳文が当て嵌められる。つまり、ワークシートには原文の文章に何らかの翻訳文が併記されているので、翻訳時に訳抜けが発生するおそれがない。
【００２７】
なお、図２は動作の一例に過ぎないので、本発明の要旨を変更しない範囲で、ステップの順序を入れ換えてもよく、ステップを変更、追加又は削除してもよい。例えば、ステップＳ５，Ｓ６，Ｓ８については、省略することもできる。
【００２８】
図３は、本発明に係る翻訳業務見積システムの一実施形態を示す機能ブロック図である。以下、この図面に基づき説明する。ただし、図１と同じ部分は同じ符号を付すことにより説明を省略する。
【００２９】
本実施形態の翻訳業務見積システム２０は、発注側端末装置２１と、請負側端末装置２２と、翻訳受付サーバ２３と、翻訳システム２４と、翻訳システム２４に連動する文例データベース部２５と、これらを相互に接続する通信ネットワーク２６とから構成されている。そして、翻訳システム２４及び文例データベース部２５によって、図１の翻訳業務見積装置１０が実現されている。
【００３０】
発注側端末装置２１は、パーソナルコンピュータ等の情報処理端末である。そして、発注側端末装置２１は、翻訳受付サーバ２３が通信ネットワーク２６上で提供している翻訳受付画面にアクセスし、翻訳申込情報及び翻訳申込結果情報を画面に表示する機能を備えている。翻訳申込情報とは、発注者の氏名、所属／部門、連絡先、原文、翻訳語、納期等に関する情報である。翻訳申込結果情報とは、請負側の原文に対する翻訳難易度、翻訳／文例検索結果、トータルでの翻訳業務の見積金額等に関する情報である。
【００３１】
請負側端末装置２２は、パーソナルコンピュータ等の情報処理端末である。そして、請負側端末装置２２は、発注側端末装置２１から翻訳受付サーバ２３に送付された翻訳申込情報及び翻訳申込結果情報を、画面に表示する機能を備えている。更に、請負側端末装置２２は、実際の翻訳者が翻訳申込結果情報を参考にしながら翻訳システム２４へアクセスすることにより、翻訳文を訂正及び追加して文書としての仕上げを行える機能を有している。
【００３２】
翻訳受付サーバ２３は、翻訳請負側に設けられるワークステーション・ＰＣサーバ等の情報処理装置である。そして、翻訳受付サーバ２３は、発注側端末装置２１から翻訳申込情報を受け取り、発注者情報を翻訳申込情報リストへ追加するとともに、原文及び翻訳方法（和英、英和などの翻訳方向）に関する情報について翻訳システム２４へ引き渡す機能を有する。また、翻訳受付サーバ２３は、発注側端末装置２１及び請負側端末装置２２からのアクセスに従って、翻訳申込情報及び翻訳申込結果情報を通信ネットワーク２６上へ送信する機能を有する。
【００３３】
翻訳システム２４は、翻訳請負側に設けられる。そして、翻訳システム２４は、翻訳受付サーバ２３から引き継いだ原文を文章毎及び単語毎に解析し、翻訳方法を認識し、原文を文例データベース部２５に照らし合わせて類似文例を見出す機能と機械翻訳機能とを有する。また、翻訳システム２４は、原文毎に用意されたワークシートに、次の各一致率等を文章毎に格納する機能を有する。原文と類似文例とが同一の場合は、一致率１００％を格納する。原文と類似文例とが類似する場合は、その類似の程度を計算した一致率を格納する。一致率７０％未満又は類似文例が見出せない場合は、機械翻訳を行い、その翻訳結果及び一致率を格納する。更に、翻訳システム２４は、同時に翻訳難易度ランク別価格表を参照し、文節ごとに翻訳作業に要する金額を算出し、トータルの見積金額を翻訳申込結果情報に格納する機能を有する。
【００３４】
文例データベース部２５は、人が翻訳した膨大な結果を文例として記憶するとともに、翻訳請負側の翻訳システム２４に連動するように設けられる。そして、文例データベース部２５は、翻訳システム２４の要求に応じて類似文例を検索し、検索結果を翻訳システム２４へ送信する機能を有する。
【００３５】
次に、翻訳業務見積システム２０の動作を説明する。
【００３６】
まず、翻訳発注者は、発注側端末装置２１を使って、翻訳したい原文及び見積依頼を通信ネットワーク２６を介して翻訳受付サーバ２３へ送出する。翻訳受付サーバ２３は、見積依頼にある発注者情報を翻訳申込情報リストへ追加するとともに、原文及び翻訳方法に関する情報を翻訳システム２４へ引き渡す。
【００３７】
翻訳システム２４は、翻訳言語及び翻訳方法を認識し、原文を文書毎及び単語毎に分解し、文例データベース部２５に照らし合わせて類似例文を見出す。類似文例との一致率が７０％未満の箇所又は類似文例が見出せない箇所については、翻訳システム２４によって翻訳を行う。そして、翻訳システム２４上に形成されるワークシートに、原文、類似文例、一致率、翻訳結果等を文章ごとに紐付けて格納する。
【００３８】
同時に翻訳システム２４は、一致率を元に別途用意された翻訳難易度別価格表を参照し、文章ごとに翻訳作業に要する金額を算出し、トータルの見積を算出する。このとき、一致率が高ければ翻訳難易度が低くなるように、逆に一致率が低ければ翻訳難易度が高くなるように設定されているので、類似文例や一般的な用語が少なく工数のかかる翻訳の場合は金額が多くなる。
【００３９】
最終的に、原文が展開されて、類似文例、一致率、翻訳結果等が記述されたワークシート及びトータル見積額については、発注側端末装置２１及び請負側端末装置２２からの要求に応じて、通信ネットワーク２６を経由して予め翻訳システム２４からダウンロードされた翻訳受付サーバ２３上で確認することができる。
【００４０】
このようにして、本発明では、翻訳業務の見積を所与の原文の翻訳難易度に即して行うことができるので、見積以上に工数のかかる翻訳作業を少なくすることができる。更に、文例データベースや機械翻訳で訳出された文章を提供し、翻訳者がそれを参考にすることができるので、請負側翻訳者の翻訳作業をある一定の水準に近づけることが可能になる。
【００４１】
図４及び図５は、図３の翻訳業務見積システムの動作の一例を示すタイムチャートである。図６は、図３の翻訳業務見積システムで用いられるワークシートの一例を示す図表である。図７は、図３の翻訳業務見積システムで用いられる翻訳難易度ランク別価格の一例を示す図表である。以下、図３乃至図７に基づき、翻訳業務見積システム２０の動作を更に詳しく説明する。
【００４２】
以下の説明において、通信ネットワーク２６は、企業内でインターネット技術を利用して構築されたネットワークすなわちイントラネットであるとする。
【００４３】
発注者は、発注側端末装置２１を介して、翻訳請負側が通信ネットワーク２６上に展開している翻訳受付サーバ２３にアクセスする（ステップＡ１）。これに対して、翻訳受付サーバ２３は翻訳申込情報を発注側端末装置２１に送信する（ステップＡ２）。発注側端末装置２１は、翻訳申込情報の見積依頼欄に発注者の氏名、所属／部門、連絡先、翻訳語、納期等を記入し、原文を添付して翻訳受付サーバ２３へ送付する（ステップＡ３）。翻訳受付サーバ２３では、発注側端末装置２１から送信された翻訳申込情報の見積依頼欄に記入された発注者情報を、翻訳申込情報リストへ追加する（ステップＡ４）。更に、翻訳受付サーバ２３は、原文及び「日本語から英語へ翻訳」等の翻訳方法に関する情報を翻訳システム２４へ送付する（ステップＡ５）。
【００４４】
翻訳システム２４は、翻訳受付サーバ２３から受け取った原文及び翻訳方法について認識し、原文を文章毎に解析し原文に基づきワークシートを作成する（ステップＡ６）。このワークシートでは、原文が文章毎にワークシートセルに格納され、更に文例検索結果、一致率、翻訳結果、翻訳難易度、トータル見積等について空欄に記載されるようになっている（図６）。そして、単語レベルまで解析された文章と翻訳方法との情報に基づき、文例データベース部２５に蓄積されている類似文例が検索される（ステップＡ７）。文例データベース部２５は、類似文例を抽出し、翻訳システム２４へ送出する（ステップＡ８）。翻訳システム２４は、文例データベース部２５から送出された類似文例と原文文章との一致率を、検索時に使った単語の一致数に基づき計算しワークシートセルに格納する（ステップＡ９）。ただし、一致率が７０％未満の場合、翻訳システム２４は当該文章を機械翻訳し、その翻訳結果をもってワークシートセル上で類似文例が入っている部分を置換する（ステップＡ１０）。
【００４５】
続いて、翻訳システム２４は、予め一致率に対応する翻訳難易度を定義しておき、翻訳難易度ランク別価格表の詳細金額を文章毎に検索し、トータル金額を積算し、翻訳難易度及びトータル金額をワークシートに格納する（ステップＡ１１）。翻訳難易度ランク別価格表は、例えば「翻訳難易度Ｃ：１００円」等、翻訳難易度毎に価格設定された表である（図７）。予め翻訳システム２４上で一致率に対応する翻訳難易度を定義しておくことで、例えば「一致率１００％→翻訳難易度Ａ」「一致率９０％→翻訳難易度Ｂ」等の対応関係により金額積算が可能となる。
【００４６】
以上により完成されたワークシートは翻訳システム２４上に格納され、翻訳受付サーバ２３へ作業完了の情報及びワークシートの格納先ＵＲＬの通知がなされる（ステップＡ１２）。続いて、翻訳受付サーバ２３の翻訳申込情報リストに、作業完了マークと翻訳システム２４上に格納されたワークシートとをダウンロードするためのＵＲＬが記載される（ステップＡ１３）。更に、翻訳受付サーバ２３は、発注側端末装置２１及び請負側端末装置２２に対し、翻訳申込結果情報として作業完了した旨と、翻訳申込毎に作成されるワークシートをダウンロードできるＵＲＬとを通知する（ステップＡ１４）。
【００４７】
発注者は、発注側端末装置２１を使って、翻訳受付サーバ２３から翻訳申込結果情報を受け取り、所定のＵＲＬからワークシートをダウンロードする（ステップＡ１５）。請負者は、請負側端末装置２２を使って、翻訳受付サーバ２３から翻訳申込結果情報を受け取り、所定のＵＲＬからワークシートをダウンロードする（ステップＡ１６）。また、請負者は、請負側端末装置２２にて、ダウンロードされたワークシートに基づき当該文書の翻訳を人手で完成できるようになっている（ステップＡ１７）。
【００４８】
【発明の効果】
本発明によれば、原文を構成する各文章について最も類似する類似文例を文例データベース中で検索し、原文の各文章と各類似文例との一致率に基づき難易度を判定するようにしたことにより、翻訳の難易度を反映した正確な翻訳費用を見積ることができる。
【００４９】
また、一致率が一定値を越える文章については類似文例の翻訳文を当て嵌め、一致率が一定値以下の文章については機械翻訳による翻訳文を当て嵌めてワークシートを作成することにより、原文の文章に何らかの翻訳文を併記できるので、翻訳時の訳抜けを防止できる。
【００５０】
更に、本発明に係る翻訳業務見積装置に発注側端末装置及び請負側端末装置を通信ネットワークを介して接続することにより、翻訳業務見積装置によって正確な翻訳費用を直ちに見積ることができ、かつその情報を通信ネットワークを介してリアルタイムに発注側端末装置及び請負側端末装置へ送信できるので、翻訳作業を迅速に進めることができる。
【００５１】
換言すると、本発明においては、以下に記載するような効果を奏する。
【００５２】
▲１▼．原文と文例データベースの例文との類似度によって翻訳見積を積算できるようにしているので、新たに翻訳が必要になる部分の工数を考慮でき、これにより翻訳者の作業実態に近い金額を見積もることができる。
【００５３】
▲２▼．ワークシートのセル上に、翻訳対象となる原文の一文一文を格納し、これに対応付けて類似文章又は機械翻訳結果を格納することにより、全ての文章の翻訳結果がカバーされるので、翻訳作業における単語や文節の抜けを容易に防止することができる。
【００５４】
▲３▼．翻訳業務の依頼時に発注側と請負側とでリアルタイムに、原文の内容と翻訳難度とについて確認し作業がスタートできるため、その後の翻訳者の翻訳業務遂行にあたり、発注側の意見を早期に反映することができる。
【００５５】
更に換言すると、本発明によれば、翻訳結果に対する手直しが必須となる翻訳業務について、翻訳作業を依頼する際に翻訳システムと文例データベースとを用いて翻訳原文の翻訳難易度判定を行い、この翻訳難易度を数値化することによって翻訳業務工数を計算することにより、従来、原文の内容にかかわらず翻訳文数や原文枚数等でカウントしていた工数投入見積を、より作業の実態に近づけることができる。
【図面の簡単な説明】
【図１】本発明に係る翻訳業務見積装置の一実施形態を示す機能ブロック図である。
【図２】図１の翻訳業務見積装置における動作の一例を示すフローチャートである。
【図３】本発明に係る翻訳業務見積システムの一実施形態を示す機能ブロック図である。
【図４】図３の翻訳業務見積システムにおける動作の一例（その１）を示すタイムチャートである。
【図５】図３の翻訳業務見積システムにおける動作の一例（その２）を示すタイムチャートである。
【図６】図３の翻訳業務見積システムで用いられるワークシートの一例を示す図表である。
【図７】図３の翻訳業務見積システムで用いられる翻訳難易度ランク別価格の一例を示す図表である。
【図８】従来技術を示すブロック図である。
【符号の説明】
１０  翻訳業務見積装置
１１  文例データベース
１２  原文入力手段
１３  類似文例検索手段
１４  一致率計算手段
１５  難易度判定手段
１６  見積金額決定手段
１７  機械翻訳手段
１８  ワークシート作成手段
２０  翻訳業務見積システム
２１  発注側端末装置
２２  請負側端末装置
２３  翻訳受付サーバ
２４  翻訳システム
２５  文例データベース部
２６  通信ネットワーク
【図１】
2004185171.tif 000003
【図２】
2004185171.tif 000004
【図３】
2004185171.tif 000005
【図４】
2004185171.tif 000006
【図５】
2004185171.tif 000007
【図６】
2004185171.tif 000008
【図７】
2004185171.tif 000009
【図８】
2004185171.tif 000010